(57)【要約】【課題】雨水回収すべき位置に舗装層から地盤に至る長さの雨水回収管を貫挿配置し、舗装面上の雨水を雨水回収管を介して直接地盤内に回収することができ、速やかな排水がなされて舗装面の水浸し状態を回避することができると共に舗装面下方の路盤、路床内の水分欠乏による地盤沈下、路盤強度の低下を抑制することができる。【解決手段】舗装層Ｔから地盤Ｇに至る長さにして舗装面上の雨水Ｗを地中に導入可能な雨水回収管１と、雨水回収管を舗装面に固定貫挿配置可能な固定部３とからなり、上記雨水回収管の上部開口面に複数個の導水孔２ａをもつ蓋材２を固定配置し、該雨水回収管の外周面に複数個の排水孔１ａを形成し、雨水回収管内に雨水回収管内の雨水を分散させて排水孔へ導水可能な複数個の粒状材４を詰入配置してなる。【選択図】　　　　図１
2004092243.tif 000002
【特許請求の範囲】
【請求項１】
舗装層から地盤に至る長さにして舗装面上の雨水を地中に導入可能な雨水回収管と、該雨水回収管を舗装面に固定貫挿配置可能な固定部とからなり、上記雨水回収管の上部開口面に複数個の導水孔をもつ蓋材を固定配置し、該雨水回収管の外周面に複数個の排水孔を形成し、該雨水回収管内に雨水回収管内の雨水を分散させて該排水孔へ導水可能な複数個の粒状材を詰入配置してなることを特徴とする雨水回収ユニット。
【請求項２】
上記雨水回収管の底面を斜底面に形成してなることを特徴とする請求項１記載の雨水回収ユニット。
【請求項３】
上記雨水回収管の底面を先細りの砲弾形状面に形成してなることを特徴とする請求項１記載の雨水回収ユニット。
【請求項４】
請求項１〜３のいずれか１項に記載の雨水回収ユニットを備えてなることを特徴とする舗装面構造。
【発明の詳細な説明】
【０００１】
【発明の属する技術分野】
本発明は例えば歩道、車道、工場の敷地、駐車場等の舗装面に用いられる雨水回収ユニット及びこれを備えた舗装面構造に関するものである。
【０００２】
【従来の技術】
従来、例えば歩道、車道、工場の敷地、駐車場等においては、交通荷重を支え、気象変化の影響などによる路盤、路床の弱体化を防ぐため、地盤上にアスファルト舗装やコンクリート舗装が施工されている。
【０００３】
【発明が解決しようとする課題】
しかしながら舗装構造の場合、舗装面に降り注いだ雨水は舗装層を直接浸透せずに側溝や排水路を経て下水に排水されることになり、このため、激しい降雨になると排水能力が間に合わずに舗装面は水浸し状態になることがあると共に舗装面下方の路盤、路床内の水分が欠乏し、地盤沈下、路盤強度の低下を惹起させたり所謂ヒートアイランド現象の要因となったりすることがあるという不都合を有している。
【０００４】
【課題を解決するための手段】
本発明はこのような課題を解決することを目的とするもので、本発明のうちで、請求項１記載の発明は、舗装層から地盤に至る長さにして舗装面上の雨水を地中に導入可能な雨水回収管と、該雨水回収管を舗装面に固定貫挿配置可能な固定部とからなり、上記雨水回収管の上部開口面に複数個の導水孔をもつ蓋材を固定配置し、該雨水回収管の外周面に複数個の排水孔を形成し、該雨水回収管内に雨水回収管内の雨水を分散させて該排水孔へ導水可能な複数個の粒状材を詰入配置してなることを特徴とする雨水回収ユニットにある。
【０００５】
又、請求項２記載の発明にあっては、上記雨水回収管の底面を斜底面に形成してなることを特徴とするものであり、又、請求項３記載の発明は、上記雨水回収管の底面を先細りの砲弾形状面に形成してなることを特徴とするものであり、又、請求項４記載の発明は、請求項１〜３のいずれか１項に記載の雨水回収ユニットを備えてなることを特徴とする舗装面構造にある。
【０００６】
【発明の実施の形態】
図１乃至図４は本発明の実施の形態例を示し、図１乃至図３は第一形態例、図４は第二形態例である。
【０００７】
図１乃至図３の第一形態例において、１は雨水回収管であって、ステンレスパイプ、その他の金属パイプ、合成樹脂パイプ等により溶接製作され、例えば舗装層Ｔの厚さ２５ｍｍにおいては、外径約１６０ｍｍ〜３２０ｍｍ程度、長さ７００ｍｍ程度の舗装層Ｔから地盤Ｇに至る長さのパイプ材が用いられ、この雨水回収管１の外周面に複数個の排水孔１ａが複数個形成され、この場合、雨水回収管１の底面は斜底面１ｂに形成され、この斜底面１ｂに複数個の排水孔１ｃを形成し、雨水回収管１の上部開口面に複数個の導水孔２ａをもつ蓋材２を固定配置して構成している。
【０００８】
３は固定部であって、この場合、舗装層Ｔを地盤Ｇを境にして四角に切り取り、雨水回収管１の外周面上部寄りに連結板１ｄを溶接固定すると共に地盤Ｇ上に定置板３ａを載置し、雨水回収管１の上部開口部にリブ状の補強部材３ｂを固定し、連結板１ｄにボルト３ｃを溶接固定すると共にボルト３ｃを定置板３ａの遊孔３ｄ及び蓋材２の遊孔２ｂに貫挿し、ボルト３ｃにナット３ｅ・３ｅを螺着し、その後に、切り取られた舗装層Ｔに新たな舗装層Ｔ１を補修施工し、雨水回収管１を舗装面に固定配置するように構成している。
【０００９】
４は粒状材であって、この場合、上記雨水回収管１内の雨水Ｗを分散させて排水孔１ａ・１ｃへ導水可能な例えば、複数個の砂、細砕石、粒状濾過材、その他の粒状材が用いられ、この粒状材４を雨水回収管１内に詰入配置している。
【００１０】
この実施の第一形態例は上記構成であるから、雨水を回収すべき位置の舗装層Ｔを地盤Ｇを境にして四角に切り取り、この切り取り箇所に雨水回収管１を地盤Ｇに打ち込み貫挿配置し、雨水回収管１を固定部３により舗装面に固定配置し、その後に、切り取られた舗装層Ｔに新たな舗装層Ｔ１を補修施工することになり、従って、舗装面に雨水Ｗが降ると、雨水回収管１の上部開口面に固定配置された蓋材２の複数個の導水孔２ａから雨水は雨水回収管１内に流入し、この雨水Ｗは雨水回収管１の外周面の複数個の排水孔１ａ及び複数個の排水孔１ｃを介して地盤Ｇ内に浸透排水し、このため、舗装面上の雨水を雨水回収管１を介して直接地盤Ｇ内に回収することができ、速やかな排水がなされて舗装面の水浸し状態を回避することができると共に舗装面下方の路盤、路床内の水分欠乏による地盤沈下、路盤強度の低下を抑制することができ、かつ、雨水回収管１内に雨水回収管１内の雨水Ｗを分散させて排水孔１ａ・１ｃへ導水可能な複数個の粒状材４を詰入配置しているから、これら粒状材４により雨水の分散作用を得ることができ、良好な排水作用を得ることができると共に粒状材４により雨水の濾過作用を得ることもできる。
【００１１】
又、この場合、上記雨水回収管１の底面を斜底面１ｂに形成しているから、雨水回収管１内の雨水を排水孔１ａ・１ｃへ良好に導水することができると共に地盤Ｇへの打ち込み配置を容易に行うことができ、それだけ、施工作業を楽に行うことができる。
【００１２】
図４の第二形態例は別例構造を示し、この場合、鋳物により製作され、上記雨水回収管１の底面を先細りの砲弾形状面１ｅに形成し、砲弾形状面１ｅに排水孔１ｃを形成し、他は第一形態例と同様な構造を採用したものである。
【００１３】
この第二形態例にあっても、上記第一形態例と同様な作用効果を得ることができると共に、上記雨水回収管１の底面の砲弾形状面１ｅにより、雨水回収管１内の雨水を排水孔１ａ・１ｃへ良好に導水することができると共に地盤Ｇへの打ち込み配置を容易に行うことができ、施工作業を楽に行うことができる。
【００１４】
尚、本発明は上記実施の形態例に限られるものではなく、雨水回収管１の材質や大きさ、固定部３の構造、粒状材の種類、粒径、詰入量等は適宜変更して設計される。
【００１５】
【発明の効果】
本発明は上述の如く、請求項１又は４記載の発明にあっては、雨水回収すべき位置に舗装層から地盤に至る長さの雨水回収管を貫挿配置し、雨水回収管を固定部により舗装面に固定配置することになり、舗装面に雨水が降ると、雨水回収管の上部開口面に固定配置された蓋材の複数個の導水孔から雨水は雨水回収管内に流入し、この雨水は雨水回収管の外周面の複数個の排水孔を介して地盤内に浸透排水し、このため、舗装面上の雨水を雨水回収管を介して直接地盤内に回収することができ、速やかな排水がなされて舗装面の水浸し状態を回避することができると共に舗装面下方の路盤、路床内の水分欠乏による地盤沈下、路盤強度の低下を抑制することができ、かつ、雨水回収管内に雨水回収管内の雨水を分散させて排水孔へ導水可能な複数個の粒状材を詰入配置しているから、これら粒状材により雨水の分散作用を得ることができ、良好な排水作用を得ることができる。
【００１６】
又、請求項２記載の発明にあっては、上記雨水回収管の底面を斜底面に形成してなるから、雨水回収管内の雨水を排水孔へ良好に導水することができると共に地盤への打ち込み配置を容易に行うことができ、それだけ、施工作業を楽に行うことができ、又、請求項３記載の発明は、上記雨水回収管の底面を先細りの砲弾形状面に形成してなるから、雨水回収管内の雨水を排水孔へ良好に導水することができると共に地盤への打ち込み配置を容易に行うことができ、それだけ、施工作業を楽に行うことができる。
【００１７】
以上、所期の目的を充分達成することができる。
【図面の簡単な説明】
【図１】本発明の実施の第一形態例の全体断面図である。
【図２】本発明の実施の第一形態例の平面図である。
【図３】本発明の実施の第一形態例の斜視図である。
【図４】本発明の実施の第二形態例の部分断面図である。
【符号の説明】
Ｗ　雨水
Ｔ　舗装層
Ｇ　地盤
１　雨水回収管
１ａ　排水孔
１ｂ　底斜面
１ｃ　排水孔
１ｅ　砲弾形状面
２　蓋材
２ａ　導水孔
３　固定部
４　粒状材
【図１】
2004092243.tif 000003
【図２】
2004092243.tif 000004
【図３】
2004092243.tif 000005
【図４】
2004092243.tif 000006